(57)【要約】  本発明は、複数出力の電圧コンバーターに関連する。本発明の根本概念は、種々の出力電力条件に適応され得る複数出力の電圧コンバーターを提供することである。コンバーターは、説明のための実施例では、３個の出力を有し、全ての出力は共通のタップドインダクター（３０１、３０２）を共有する。インダクタータップは、インダクターのインダクタンスを制御するために利用される。低電力のスタンバイ動作には、大きいインダクタンスが用いられる。また例えば、ＬＥＤバックライトの電源が入れられた場合、小さいインダクタンスが用いられる。スイッチは、コンバーターの出力において、インダクターのエネルギーを個々のコンバーターの出力の何れへ転送すべきかを選択するために構成される。
2008502298.tif 000002
【特許請求の範囲】
【請求項１】
複数出力の電圧コンバーターであって：
コンバーター入力；
複数のコンバーター出力；
切り替え構成；
前記コンバーター入力と接続され、インダクターのインダクタンスが前記コンバーターの動作中に制御され得るよう構成された、インダクター；及び
前記インダクターにおいて、前記インダクターに格納されたエネルギーを前記切り替え構成へ転送するよう構成された、第１の切り替え手段、を有し、
前記切り替え構成は、前記コンバーター出力において、前記格納されたエネルギーを前記複数のコンバーター出力の少なくとも１つへ選択的に転送する、複数出力の電圧コンバーター。
【請求項２】
前記インダクターは、第１の端子、第２の端子及びタップ端子を有し構成され、前記第１のインダクターは、第１のコンバーターの入力端子と接続され、前記コンバーターは、
前記第２のインダクター端子又は前記タップ端子と接続された第２の切り替え手段を更に有し、前記第２の切り替え手段は、第２のコンバーターの入力端子と接続された前記第１の切り替え手段と直列に接続され、前記第２の切り替え手段は、前記インダクターのインダクタンスを制御する、請求項１記載の複数出力の電圧コンバーター。
【請求項３】
前記第２の切り替え手段は、第１の状態では前記第２のインダクター端子と、そして第２の状態では前記タップ端子と接続され、前記第２の切り替え手段は、前記インダクターを、前記第１の状態で第１のインダクタンスを、そして前記第２の状態で第２のインダクタンスを有するよう制御する、請求項２記載の複数出力の電圧コンバーター。
【請求項４】
前記切り替え構成は、それぞれ第１及び第２の端子を有する複数の異なる出力切り替え手段を有し、各出力切り替え手段の前記第２の端子は、前記第２の切り替え手段及び前記第１の切り替え手段と接続され、並びに各出力切り替え手段の前記第１の端子は、前記対応するコンバーター出力と接続される、請求項２又は３記載の複数出力の電圧コンバーター。
【請求項５】
前記第２の切り替え手段の第２の端子は、前記第１の状態において、前記第２のインダクター端子と、及び前記第２の状態において、前記タップ端子と接続され；
前記第２の切り替え手段の第１の端子は、前記第１の切り替え手段の第２の端子と接続され、前記第１の切り替え手段の第１の端子は、前記第２のコンバーターの入力端子と接続され；並びに
前記第２の切り替え手段の前記第１の端子及び前記第１の切り替え手段の前記第１の端子は、各出力切り替え手段の前記第２の端子と接続される、請求項３又は４記載の複数出力の電圧コンバーター。
【請求項６】
前記切り替え手段は、トランジスターを有する、前記請求項の何れか１項記載の複数出力の電圧コンバーター。
【請求項７】
携帯型ＬＣＤのディスプレイ駆動装置であって、前記請求項の何れか１項記載の複数電圧コンバーターを有する、携帯型ＬＣＤのディスプレイ駆動装置。
【発明の詳細な説明】
【技術分野】
【０００１】
本発明は、複数出力の電圧コンバーターに関連する。
【背景技術】
【０００２】
多くの電子機器では、機器のバッテリー電圧と異なる電圧が必要とされる。例として、モノクロの携帯電話ディスプレイは、３個の異なる出力電圧を必要とする。つまり、１つの電圧は、発光ダイオード（ＬＥＤ）のバックライトのため、２つの電圧は、液晶ディスプレイ（ＬＣＤ）のためである。実際には、ＬＥＤバックライトが接続される出力は、電圧源ではなく電流源として動作される。これら３個の電圧を供給する従来の回路は、３個の別個のコンバーター、例えば３個のブーストコンバーターを利用する。
【０００３】
しかしながら、これら各コンバーターは、大きく高価なインダクターを必要とする。従って、次世代の機器では、新しい接続形態が利用され、３個の出力は順次動作され共通のインダクターを共有する。
【０００４】
携帯電話ディスプレイモジュールの以上の例では、ＬＥＤバックライトは、ＬＣＤより非常に多くの電力を必要とする。スタンバイモードでは、ＬＥＤバックライトは、電源を切られ、ディスプレイモジュールは少量の電力しか必要としない。ディスプレイモジュールは、ＬＥＤバックライトの電源が入れられた場合、非常に多くの電力を必要とする。両方の場合に、電源は、長いスタンバイ時間の間、非常に高効率を達成しなくてはならない。
【発明の開示】
【発明が解決しようとする課題】
【０００５】
本発明の目的は、異なる負荷条件に対し、柔軟且つ効率的な方法で動作する電圧変換回路を提供することである。この目的は、請求項１記載の複数出力のコンバーターにより達成される。
【課題を解決するための手段】
【０００６】
本発明の第１の態様によると、コンバーター入力、複数のコンバーター出力、切り替え構成、インダクター及び第１の切り替え手段を有する、複数出力の電圧コンバーターが提供される。インダクターは、コンバーター入力と接続され、及びコンバーターの動作中にインダクターのインダクタンスが制御され得るよう構成される。第１の切り替え手段は、インダクターにおいて、インダクターに格納されたエネルギーを切り替え構成へ転送するよう構成される。切り替え構成は、コンバーター出力において、格納されたエネルギーを複数のコンバーター出力の少なくとも１つへ選択的に転送するよう構成される。
【０００７】
本発明の根本概念は、種々の出力電力条件に適応され得る複数出力の電圧コンバーターを提供することである。複数の出力は、共通のインダクターを共有する。異なる負荷条件下で効率的に動作するこのような設計では、このインダクターは、種々のインダクタンス、望ましくは、携帯型ディスプレイのスタンバイモードのような低電力動作では大きいインダクタンスを、及びＬＥＤバックライトの電源が入れられた時の携帯型ディスプレイのような高電力動作では小さいインダクタンスを有さなければならない。
【０００８】
コンバーターは、説明のための実施例では、３個の出力を有し、全ての出力は共通のタップドインダクターを共有する。インダクタータップは、インダクターのインダクタンスを制御するために利用される。スイッチは、コンバーターの出力において、インダクターのエネルギーを個々のコンバーターの出力の何れへ転送すべきかを選択するために構成される。
【０００９】
本発明は、特に、スタンバイモードでは非常に低電力を、バックライトがオンに切り替えられた時には高電力を提供しなければならない携帯型ＬＣＤディスプレイのディスプレイモジュールにおいて、有利である。これら両方の場合において、高効率を達成することは、望ましい。本発明の複数出力のコンバーターでは、コンバーターは、単一のタップドインダクターで構成され、インダクタンスは、出力電力条件に最適に適応され、及び構成要素の数、大きさ及びコストは最小限に抑えられ得る。
【００１０】
本発明の更なる特徴及び利点は、特許請求の範囲及び以下の説明から明らかである。当業者は、本発明の異なる特徴が組み合わせられ、以下に説明された以外の実施例を作り出し得ることを理解する。
【００１１】
本発明の好適な実施例は、例として以下の図を参照し詳細に説明される。
【発明を実施するための最良の形態】
【００１２】
図１及び図２は、電圧入力を３個の異なる電圧出力に変換する、従来技術の解決法を示す。コンバーターは、例えば携帯電話のような電子機器に適用され得る。図１は、それぞれ１つのインダクター１０４、１０５、１０６を有する３個の異なるコンバーター１０１、１０２、１０３を有する回路（回路はここでは３個の出力を有する）を示す。また、図２は、同様に３個の出力２０１、２０２、２０３を有するが、１つの単一のインダクター２０４のみを有する別のコンバーターを示す。
【００１３】
図３は、本発明の実施例による複数出力のコンバーターを示す。この複数出力のコンバーターは、前述のように、モノクロの携帯電話ディスプレイモジュールの複数出力の電源において用いられ得る。この複数出力のコンバーターはまた、携帯電話の他のサブシステム並びに高電力の通常動作モード及び低電力のスタンバイ動作モードの両方で高効率に動作する必要がある他の携帯型機器の、複数出力の電源において用いられ得る。
【００１４】
示されるインダクターは、共通のコアに直列に巻かれた２つの巻線３０１、３０２を有する。インダクタータップ３０３は、インダクターのインダクタンスを制御するために利用される。第１のスイッチ３０４は、例えばトランジスターを利用して実施され、インダクターを充電／放電するために利用される。
【００１５】
左の巻線３０１の巻数はＮ１であり、右の巻線３０２の巻数はＮ２である。右の巻線は、第２のスイッチ３０５により切断され得る。スイッチが右の位置、つまり第１の状態にある場合、２つの巻線は直列に接続される。そしてインダクターのインダクタンスは、（巻線は理想的に結合されているとすると）ＡＬ×（Ｎ１＋Ｎ２）２である。ここでＡＬはコアのＡＬ値であり、１巻の巻線がこのコアに巻かれた場合に得られるインダクタンスを示す。スイッチが左の位置、つまり第２の状態にある場合、右の巻線３０２は、切断される。そしてインダクターのインダクタンスは、ＡＬ×Ｎ１２である。このインダクタンスは、標準的にＡＬ×（Ｎ１＋Ｎ２）２より非常に小さい。漏れ磁束を考慮すると、つまり巻線が理想的に結合されていないとすると、インダクターのインダクタンスは、（右の巻線が切断されている場合）ＡＬ×Ｎ１２＋ＡＬＳ１×Ｎ１２、及び（２つの巻線が直列に接続されている場合）ＡＬ×（Ｎ１＋Ｎ２）２＋ＡＬＳ１×Ｎ１２＋ＡＬＳ２×Ｎ２２として表される。ＡＬＳ１及びＡＬＳ２は、漏れ磁束に関連する対応する巻線の「追加」ＡＬ値を示す。しかしながら、しばしばＡＬＳ１及びＡＬＳ２は、ＡＬと比べて小さい。
【００１６】
この特定のコンバーターは、３個の出力及び各出力において入力電圧を１つ以上のコンバーター出力と結合するよう構成された対応するスイッチ３０６、３０７、３０８を有する。
【００１７】
電源がコンバーター入力に印加され、及び第１のスイッチ３０４が閉じられると、インダクターを通じて電流が流れ、結果として、エネルギーはインダクターに格納される。第２のスイッチ３０５が第２の状態に位置付けられた場合、エネルギーは、右の巻線３０２と同様に、インダクターの左の巻線３０１に格納される。第２のスイッチ３０５が最初の状態に位置付けられると、エネルギーは、左の巻線３０１だけに格納される。第１のスイッチが開かれ、出力スイッチ３０６、３０７、３０８の何れか１つが閉じられると、インダクターに格納されたエネルギーは、閉じられた出力スイッチに対応するコンバーター出力へ転送される。２つ以上の出力スイッチが閉じられた場合、エネルギーは、対応するコンバーター出力へ転送される。
【００１８】
本発明は、特定の説明のための実施例を参照し説明されたが、当業者には、多くの異なる代案、変形などが明らかである。従って、記載された実施例は、本発明の範囲を制限しない。本発明の範囲は、特許請求の範囲によって定められる。
【図面の簡単な説明】
【００１９】
【図１】従来技術の複数出力の電圧コンバーターを示す。
【図２】別の従来技術の複数出力の電圧コンバーターを示す。
【図３】本発明の実施例による複数出力の電圧コンバーターを示す。
【図１】
2008502298.tif 000003
【図２】
2008502298.tif 000004
【図３】
2008502298.tif 000005
【国際調査報告】
2008502298.tif 000006
2008502298.tif 000007
2008502298.tif 000008